(57)【要約】      （修正有）【課題】リール脚の締め付け状態を視認でき、所望の締め付け力を確保できるリールシートを提供する。【解決手段】リールシート１は、移動フード６によるリール脚Ｒ１の締め付け状態を視認可能にする視認手段を備える。この視認手段は、リールシート本体２の外表面に形成されるとともに、移動フード６によるリール脚Ｒ１の締め付け位置を特定可能な指標となる指標部３０と、移動フード６に貫通して設けられ、指標部３０を視認可能にする開口部３２とを有する。【選択図】図１
2019010026.tif 000002
【特許請求の範囲】
【請求項１】
釣竿の竿杆に設けられ、リール脚を載置するためのリール脚載置面を有するリールシート本体と、該リールシート本体に設けられ、リール脚を受け入れる開口を有する固定フードと、該固定フードと対向して移動可能にリールシート本体に設けられ、リール脚を受け入れる開口を有する移動フードとを備え、前記移動フードと前記固定フードとの間で前記リール脚を締め付けて固定するリールシートであって、
前記移動フードによる前記リール脚の締め付け状態を視認可能にする視認手段を備え、この視認手段は、
前記リールシート本体の外表面に形成されるとともに、前記移動フードによる前記リール脚の締め付け位置を特定可能な指標となる指標部と、
前記移動フードに貫通して設けられ、前記指標部を視認可能にする開口部と、
を有することを特徴とするリールシート。
【請求項２】
前記指標部は、前記リールシート本体の外表面に形成される陥凹溝内に位置されることを特徴とする請求項１に記載のリールシート。
【請求項３】
前記開口部は、リールシートを握る手の指が当たる位置に設けられることを特徴とする請求項１又は請求項２に記載のリールシート。
【請求項４】
前記指標部が模様によって形成されることを特徴とする請求項１から３のいずれか一項に記載のリールシート。
【請求項５】
前記開口部は、前記移動フードの軸方向に延びる長孔として形成されることを特徴とする請求項１から４のいずれか一項に記載のリールシート。
【請求項６】
前記開口部が前記移動フードの側面に設けられることを特徴とする請求項１から５のいずれか一項に記載のリールシート。
【発明の詳細な説明】
【技術分野】
【０００１】
本発明は、リールを装着するために釣竿に設けられるリールシートに関する。
【背景技術】
【０００２】
従来から、リールを装着して使用できる釣竿においては、リールの脚部（以下、リール脚と称する）が着脱自在に装着されるリールシートが設けられる。このようなリールシートは、様々な形態のものが知られている（例えば、特許文献１参照）が、一般的には、釣竿の竿杆に取り付けられ（あるいは、竿杆と一体に形成され）且つリール脚を載置するためのリール脚載置面を有するリールシート本体と、リールシート本体に設けられ且つリール脚を受け入れる開口を有する固定フードと、固定フードと対向して移動可能にリールシート本体に設けられ且つリール脚を受け入れる開口を有する移動フードとを備える。そして、このようなリールシートに対するリールの装着は、リール脚載置面上にリール脚を載置した状態で固定フードの開口にリール脚の一端を挿入し、その状態で、移動フードを固定フード側へ移動させてリール脚の他端を移動フードの開口に挿入して固定することで行なわれる。
【先行技術文献】
【特許文献】
【０００３】
【特許文献１】特開２００５−１８５１９４号
【発明の概要】
【発明が解決しようとする課題】
【０００４】
ところで、このようなリールシートを用いたリールの装着では、移動フードを固定フード側へ十分に移動させて、移動フードと固定フードとの間でリール脚をしっかりと確実に締め付けることが重要である。
【０００５】
しかしながら、従来のリールシートでは、リール脚の締め付け状態を目視等により正確に把握することが難しく、したがって、締め付け度合いは、専ら、使用者の感覚に頼らざるを得なかった。そのため、時として、締め付け具合が緩く、リール脚がフード間から外れてリールが釣竿から脱落する虞があった。
【０００６】
本発明は、上記した問題に着目してなされたものであり、リール脚の締め付け状態を視認でき、所望の締め付け力を確保できるリールシートを提供することを目的とする。
【課題を解決するための手段】
【０００７】
上記目的を達成するために、本発明は、釣竿の竿杆に設けられ、リール脚を載置するためのリール脚載置面を有するリールシート本体と、該リールシート本体に設けられ、リール脚を受け入れる開口を有する固定フードと、該固定フードと対向して移動可能にリールシート本体に設けられ、リール脚を受け入れる開口を有する移動フードとを備え、前記移動フードと前記固定フードとの間で前記リール脚を締め付けて固定するリールシートであって、前記移動フードによる前記リール脚の締め付け状態を視認可能にする視認手段を備え、この視認手段は、前記リールシート本体の外表面に形成されるとともに、前記移動フードによる前記リール脚の締め付け位置を特定可能な指標となる指標部と、前記移動フードに貫通して設けられ、前記指標部を視認可能にする開口部とを有することを特徴とする。
【０００８】
上記構成によれば、移動フードによるリール脚の締め付け状態を視認可能にする視認手段が設けられるため、リール脚の締め付け状態を目視により正確に把握することができ、したがって、所望の締め付け力を確実に得ることができる。そのため、締め付け具合が緩く、リール脚がフード間から外れてリールが釣竿から脱落する（及び／又は締め付け状態の緩みに伴うリールのガタ付き）といった事態を回避できる。この場合、所望の締め付け力を生起できる締め付け位置は、標準化されてもよいが、視認手段を構成する指標部と開口部との相対的な位置関係などに基づいて装着されるべきリール毎に使用者が把握できさえすればよい。また、このような視認手段によれば、釣竿にリールを装着して使用している間に何らかの衝撃等に起因して移動フードによるリール脚の締め付け状態が緩んだ場合でも、視認手段（例えば指標部と開口部との相対的な位置関係等）を目視で確認することで、その緩み（及び／又はその緩みに伴うリールのガタつき等）を素早く確認（把握）することができる。
【０００９】
なお、上記構成において、指標部は、リールシート本体の外表面に形成される陥凹溝内に位置されることが好ましい。このようにすると、指標部が移動フードの移動に伴う摩擦接触により摩耗して視認不可能になるといった事態を回避できる。また、上記構成において、開口部は、リールシートを握る手の指が当たる位置に設けられることが好ましい。このようにすると、リールシートを手で握った際にその手の指が開口部に引っ掛かり、リールシートの握持保持性（グリップ性）が向上する。
【００１０】
また、上記構成では、指標部が模様によって形成されてもよい。この場合、模様に装飾性を持たせれば、リールシートのデザイン性を向上させることができ、有益である。なお、ここで、模様とは、文字、色彩、図柄、又は、これらの組み合わせから成る。
【００１１】
また、上記構成では、開口部の形状を任意に設定でき、例えば、開口部を移動フードの軸方向に延びる長孔として形成してもよい。また、開口部は、移動フードの側面、上面、下面など、任意の面に設けることができる。
【発明の効果】
【００１２】
本発明によれば、リール脚の締め付け状態を視認でき、所望の締め付け力を確保できるリールシートが得られる。
【図面の簡単な説明】
【００１３】
【図１】釣竿の竿杆に設けられた本発明の一実施形態に係るリールシートにリールを装着して手で握った状態を示す側面図。
【図２】図１のリールシートを構成するリールシート本体の側面図。
【図３】調整ナット部材を有する移動フードの側面図。
【図４】釣竿の竿杆に設けられた図１のリールシートにリールを装着した状態であって、移動フードが完全締め付け状態にある側面図。
【図５】移動フードが不完全な締め付け状態にある図４に対応する側面図。
【図６】（ａ）は開口部を通じて指標部を視認できる完全締め付け状態にある視認手段の拡大図、（ｂ）は（ａ）のＡ−Ａ線に沿う断面図。
【発明を実施するための形態】
【００１４】
以下、本発明に係るリールシートの一実施形態について、添付図面を参照して具体的に説明する。
図１〜図６は、本発明に係るリールシートの基本構成を示しており、図１は、釣竿の竿杆に設けられた本発明の一実施形態に係るリールシートにリールを装着して手で握った状態を示す側面図、図２は、図１のリールシートを構成するリールシート本体の側面図、図３は、調整ナット部材を有する移動フードの側面図、図４は、釣竿の竿杆に設けられた図１のリールシートにリールを装着した状態であって、移動フードが完全締め付け状態にある側面図、図５は、移動フードが不完全な締め付け状態にある図４に対応する側面図、図６の（ａ）は、開口部を通じて指標部を視認できる完全締め付け状態にある視認手段の拡大図、図６の（ｂ）は図６の（ａ）のＡ−Ａ線に沿う断面図である。
【００１５】
本実施形態に係るリールシート１は、釣竿の竿杆８０に対して嵌入される筒状のリールシート本体２（以下、シート本体と称する）を備えており、このシート本体２に、以下の構成部材が設けられている。なお、シート本体２は、図示しない金型を用いて合成樹脂を射出成形することで一体形成することが可能である。
【００１６】
シート本体２は、リールＲ（図１，４，５にはリールＲの本体が図示されない）の脚部（以下、リール脚という）Ｒ１の載置部Ｒ１ａ（リール脚Ｒ１の一部を形成し、リール脚Ｒ１の本体の先端でこれに対して略垂直に延びる所定の長さを有する部分）が載置されるように平坦面となったリール脚載置面３と、その前後に対向して配置され、リール脚Ｒ１（具体的には、載置部Ｒ１ａの前端および後端）を受け入れる開口５ａ，６ａを有する一対のフード５，６とを有している。これらの一対のフード５，６のうち、少なくとも一方は移動式に構成されており、本実施形態では、後方側（竿尻側）が移動フード６になっており、前方側（竿先側）が固定フード５となっている。なお、フード５，６も、シート本体２と同様に、図示しない金型を用いて合成樹脂を射出成形することにより形成可能であるが、ＳＵＳのプレス成形によって形成されてもよい。
【００１７】
移動フード６は、シート本体２に対して軸方向Ｘに移動自在に組付けられ、移動フード６と一体の調整ナット部材１６を介して軸方向Ｘに移動して固定フード６に対して接離される。調整ナット部材１６は、シート本体２に設けられるネジ部９（図２参照）に螺合され、その螺合調整により、移動フード６を軸方向Ｘに移動調整して（固定フード５へ向けて移動させて）、移動フード６と固定フード５との間でリール脚Ｒ１を締め付けて（載置部Ｒ１ａを前後から締め付けて）固定するようになっている。
【００１８】
また、シート本体２には、移動フード６が回転することなく軸方向Ｘに沿って移動できるように、移動フード６の移動を案内する案内溝(図示せず)が軸方向Ｘに沿って所定範囲にわたり形成されている。この案内溝には、移動フード６に一体形成された係合部（図示せず）が係合するようになっており、これにより、移動フード６は、シート本体２に対して回転することなく軸方向Ｘに沿って安定して案内される。
【００１９】
また、本実施形態のリールシート１は、移動フード６によるリール脚Ｒ１（載置部Ｒ１ａ）の締め付け状態（調整ナット部材１６の締め込み状態）を視認可能にする視認手段を備える。具体的には、この視認手段は、特に図１〜図３に示されるように、シート本体２の外表面２ａに形成されるとともに、移動フード６によるリール脚Ｒ１の締め付け位置を特定可能な指標となる指標部３０と、移動フード６に貫通して設けられ、指標部３０を視認可能にする（シート本体２の外表面２ａを外部に露出させる）開口部３２とを有する。
【００２０】
この場合、指標部３０は、ネジ部９と固定フード５との間のシート本体２の外表面２ａ部位に（例えば、所定のサイズのリールＲのリール脚Ｒ１を完全に締め付けることができる移動フード６の位置（完全締め付け位置）に対応する外表面２ａ部位の前後の所定範囲にわたって）位置される。また、開口部３２は、移動フード６の完全締め付け位置で指標部３０の全体を外部に露出させて視認できるようにする移動フード６の部位、例えば図示のように移動フード６の側面に形成される。
【００２１】
また、本実施形態では、指標部３０が、図６に明確に示されるように、シート本体２の外表面２ａに形成される陥凹溝４０内に位置されている。この場合、指標部３０は、デザイン性を向上させる観点から模様によって形成されることが好ましい。ここで、模様とは、文字、色彩、図柄、又は、これらの組み合わせから成る。特に本実施形態において、指標部３０は、移動フード６によるリール脚Ｒ１の完全締め付け状態を表わす「ＬＯＣＫ」の文字として形成される。
【００２２】
また、開口部３２は、本実施形態では移動フード６の軸方向Ｘに延びる矩形の長孔として形成されるが、任意の形状を成していても構わない。デザイン性を向上させる観点から、開口部３２を奇抜な形状にしてもよい。
【００２３】
また、本実施形態において、開口部３２は、リールシート１を握る手の指が当たる位置に設けられる。すなわち、釣竿の竿杆８０を握ってリールシート１に指を沿わせるだけで、指先が常に開口部３２に掛止され、常に良好なグリップ力で把持することができるようになっている。具体的には、図１に示されるように、リール脚載置面３を下側にして親指１００Ａをリール脚載置面３と反対側の面に当て付け且つ人差し指１００Ｂを固定フード５付近に軽く当てた状態でリール脚Ｒ１を跨いでリールシート１を手１００で把持すると、中指１００Ｃ及び薬指１００Ｄがシート本体２の側面に当て付いた状態で小指１００Ｅが開口部３２に引っ掛かり、強固な握持力を得ることができる。つまり、握り込まなくても滑り難く、安定した握持性と操作性の向上を図ることができる。
【００２４】
以上のような構成のリールシート１を用いてリールＲを竿杆８０に対して装着する場合には、リール脚Ｒ１の載置部Ｒ１ａをシート本体２のリール脚載置面３上に載置するとともに、載置部Ｒ１ａの前端を固定フード５の開口５ａに挿入し、その状態で、調整ナット部材１６を締め込んで移動フード６を固定フード５へ向けて移動させる。そして、図４に示されるように、移動フード６の開口部３２を通じて内側に位置するシート本体２の指標部３０の全体が完全に外部に露出される（指標部３０の全体を視認できる）位置まで移動フード６が移動されると、所定のサイズのリールＲのリール脚Ｒ１を完全に締め付けることができる移動フード６の完全締め付け状態であることを使用者が目視で確実に把握できる。なお、締め付け状態が緩い不完全な締め付け位置では、図５に示されるように、開口部３２を通じて指標部３０の全体を完全に視認できない（図では「Ｌ」の文字を視認できない）。
【００２５】
なお、所定のサイズのリールの場合については、図４に示される締め付け位置が完全締め付け状態となり得るが、リールの大きさによっては、図５が完全締め付け状態となる場合もある。この完全締め付け状態については、視認手段を構成する指標部３０と開口部３２との相対的な位置関係などに基づいて装着されるべきリール毎に使用者が把握できさえすればよい。
【００２６】
以上説明したように、本実施形態によれば、移動フード６によるリール脚Ｒ１の締め付け状態を視認可能にする視認手段が設けられるため、リール脚Ｒ１の締め付け状態を目視により正確に把握することができ、したがって、所望の締め付け力を確実に得ることができる。そのため、締め付け具合が緩く、リール脚Ｒ１がフード５，６間から外れてリールが釣竿から脱落する（及び／又は締め付け状態の緩みに伴うリールのガタ付き）といった事態を回避できる。また、このような視認手段によれば、釣竿にリールを装着して使用している間に何らかの衝撃等に起因して移動フード６によるリール脚Ｒ１の締め付け状態が緩んだ場合でも、視認手段（例えば指標部３０と開口部３２との相対的な位置関係等）を目視で確認することで、その緩み（及び／又はその緩みに伴うリールのガタつき等）を素早く確認（把握）することができる。
【００２７】
また、本実施形態では、指標部３０がシート本体２の外表面２ａに形成される陥凹溝４０内に位置されているため、指標部３０が移動フード６の移動に伴う摩擦接触により摩耗して視認不可能になるといった事態を回避できる。また、本実施形態において、開口部３２は、リールシート１を握る手の指が当たる位置に設けられているため、リールシート１を手で握った際にその手の指が開口部３２に引っ掛かり、リールシート１の握持保持性（グリップ性）が向上する。また、本実施形態では、指標部３０を模様によって形成することにより、特に模様に装飾性を持たせることにより（又は、開口部３２の形状に装飾性をもたせることにより）、リールシート１のデザイン性を向上させることができ、有益である。
【００２８】
以上、本発明の実施形態について説明したが、本発明は、前述した実施形態に限定されず、その要旨を逸脱しない範囲で種々変形して実施できる。例えば、前述した実施形態では、開口部を移動フードの軸方向に延びる長孔として形成したが、開口部の形状は任意に設定できる。例えば、開口部を移動フードの上面や下面などに設けることができる。また、前述した実施形態では、開口部及びそれに対応する指標部が１つずつ設けられるが、開口部及び指標部を複数設けても構わない。
【符号の説明】
【００２９】
１  リールシート
２  リールシート本体
２ａ  外表面
３  リール脚載置面
５  固定フード
５ａ  開口
６  移動フード
６ａ  開口
３０  指標部
３２  開口部
４０  陥凹溝
８０  竿杆
Ｒ１  リール脚
【図１】
2019010026.tif 000003
【図２】
2019010026.tif 000004
【図３】
2019010026.tif 000005
【図４】
2019010026.tif 000006
【図５】
2019010026.tif 000007
【図６】
2019010026.tif 000008